(57)【要約】【課題】トゥジャンプを行うために必要となる跳躍力と回転力とを安定して得ることができつつ、使用者の転倒を防止することができるアイススケート靴用のブレードを提供する。【解決手段】長手方向に沿う一方側の端面を滑走面とする長尺板状の板状部と、板状部の長手方向の一端側に形成された凹凸形状を有する凹凸部３とを備え、凹凸部３が、凹凸部３の凸部３ａが一方側に凸となる状態で、滑走面よりも板状部の他方側の端面寄りに形成され、凹凸形状が、板状部の厚み方向から見て鋸状に形成され、凹凸部３が複数の錐状体７で形成され、複数の錐状体７が、錐状体７の頂部７ａを凸部３ａとする状態で長手方向に並設されて形成されている。【選択図】図２
2020048623.tif 000002
【特許請求の範囲】
【請求項１】
長手方向に沿う一方側の端面を滑走面とする長尺板状の板状部と、前記板状部の長手方向の一端側に形成された凹凸形状を有する凹凸部とを備え、
前記凹凸部が、当該凹凸部の凸部が前記一方側に凸となる状態で、前記滑走面よりも前記板状部の他方側の端面寄りに形成され、前記凹凸形状が、前記板状部の厚み方向から見て鋸状に形成されたアイススケート靴用のブレードであって、
前記凹凸部が複数の錐状体で形成され、
複数の前記錐状体が、前記錐状体の頂部を前記凸部とする状態で前記長手方向に並設されて形成されているアイススケート靴用のブレード。
【請求項２】
長手方向に沿う一方側の端面を滑走面とする長尺板状の板状部と、前記板状部の長手方向の一端側に形成された凹凸形状を有する凹凸部とを備え、
前記凹凸部が、当該凹凸部の凸部が前記一方側に凸となる状態で、前記滑走面よりも前記板状部の他方側の端面寄りに形成され、前記凹凸形状が、前記板状部の厚み方向から見て鋸状に形成されたアイススケート靴用のブレードであって、
前記凹凸部が、第１凹凸部と第２凹凸部とで形成され、
前記第１凹凸部と前記第２凹凸部が前記厚み方向に並設され、
前記第１凹凸部および前記第２凹凸部の少なくともいずれか一方が複数の錐状体で形成され、
複数の前記錐状体が、前記錐状体の頂部を前記凸部とする状態で前記長手方向に並設されて形成されているアイススケート靴用のブレード。
【請求項３】
長手方向に沿う一方側の端面を滑走面とする長尺板状の板状部と、前記滑走面の長手方向の一端側に形成された凹凸形状を有する凹凸部とを備え、
前記凹凸部が、前記滑走面よりも前記板状部の他方側の端面寄りに形成され、前記凹凸形状が、前記板状部の厚み方向から見て鋸状に形成されたアイススケート靴用のブレードであって、
前記凹凸部が、第１凹凸部と第２凹凸部とで形成され、
前記第１凹凸部と前記第２凹凸部とが、前記厚み方向に並設され、
前記第１凹凸部の凸部と、前記第２凹凸部の凸部とが、前記厚み方向から見て異なる位置に形成されているアイススケート靴用のブレード。
【請求項４】
前記第１凹凸部および前記第２凹凸部の少なくともいずれか一方が複数の錐状体で形成され、
複数の前記錐状体が、前記錐状体の頂部を前記凸部とする状態で前記長手方向に並設されて形成されている請求項３に記載のアイススケート靴用のブレード。
【発明の詳細な説明】
【技術分野】
【０００１】
本発明は、長手方向に沿う一方側の端面を滑走面とする長尺板状の板状部と、板状部の長手方向の一端側に形成された凹凸形状を有する凹凸部とを備え、凹凸部が、凹凸部の凸部が一方側に凸となる状態で、滑走面よりも板状部の他方側の端面寄りに形成され、凹凸形状が、板状部の厚み方向から見て鋸状に形成されたアイススケート靴用のブレードに関する。
【背景技術】
【０００２】
かかるアイススケート靴用のブレードは、フィギュアスケート用のスケート靴等に用いられ、ブレードの凹凸部がスケート靴のつま先側に位置するようにスケート靴に取り付けて使用するものである。ブレードの凹凸部は、通常の氷面滑走時においては氷面に接触することなく、回転ジャンプの踏み切りにおいて回転ジャンプの起点となる氷面の適切な位置を突くために使用される。
【０００３】
具体的には、助走をつけた状態で、スケート靴のつま先側に位置する鋸状の凸凹部を氷面の適切な位置に突いて踏み切ることにより、助走のエネルギーを利用して回転ジャンプを行うために必要となる跳躍力と回転力とを得ることができる。これにより、「トゥジャンプ」と言われる「ルッツ」、「フリップ」、「トゥループ」の３種類の回転ジャンプを行うことができる。
【０００４】
このようなアイススケート靴用のブレードとして、滑走面のつま先側に、滑走面に沿って一列に並んだ鋸状の凹凸形状を有する凹凸部を備えたものがある（例えば、特許文献１参照）。特許文献１に記載の鋸状の凹凸形状は、滑走面側から見ると複数の凸部と凹部とが平行に並ぶように形成されている。
【先行技術文献】
【特許文献】
【０００５】
【特許文献１】実開昭６２−２９１０２号公報
【発明の概要】
【発明が解決しようとする課題】
【０００６】
近年、フィギュアスケートの技術が高度化しており、フィギュアスケートの競技大会等で高い評価を得るためには、４回転ジャンプなどのレベルの高いトゥジャンプを行う必要がある。そのため、トゥジャンプの踏み切りの際に、より大きな跳躍力と回転力とを安定して得ることが必要になっている。
【０００７】
そして、より大きな跳躍力と回転力とを安定して得るためには、トゥジャンプを行う際、助走速度を上げた状態で氷面の適切な位置に凹凸部を突いて踏み切る必要があるが、そのように助走速度を上げた状態では凹凸部と接触する氷面に大きな力がかかるため、凹凸部の氷面への突きが十分ではなく凹凸部が十分に氷面を捉えられていない場合、凹凸部が氷面の適切な位置からずれてしまうことがある。
【０００８】
このように、氷面の適切な位置に突きさした凹凸部が適切な位置からずれてしまった場合、助走のエネルギーをうまく利用することができず、十分な跳躍力と回転力とを得られなくなることに加え、使用者はトゥジャンプの踏み切り直後やトゥジャンプの着地時にバランスを崩して転倒し、負傷する虞があった。
【０００９】
本発明は、上記実情に鑑みてなされたものであって、その目的は、トゥジャンプを行うために必要となる跳躍力と回転力とを安定して得ることができつつ、使用者の転倒を防止することができるアイススケート靴用のブレードを提供する点にある。
【課題を解決するための手段】
【００１０】
この目的を達成するための本発明に係るアイススケート靴用のブレードは、
長手方向に沿う一方側の端面を滑走面とする長尺板状の板状部と、前記板状部の長手方向の一端側に形成された凹凸形状を有する凹凸部とを備え、
前記凹凸部が、当該凹凸部の凸部が前記一方側に凸となる状態で、前記滑走面よりも前記板状部の他方側の端面寄りに形成され、前記凹凸形状が、前記板状部の厚み方向から見て鋸状に形成されたアイススケート靴用のブレードであって、
前記凹凸部が複数の錐状体で形成され、
複数の前記錐状体が、前記錐状体の頂部を前記凸部とする状態で前記長手方向に並設されて形成されている点にある。
【００１１】
上記特徴構成によれば、凹凸部が複数の錐状体で形成され、その複数の錐状体の頂部を凸部とする状態で長手方向に並設されて形成されているので、使用者は、トゥジャンプの踏み切りの際に、複数の錐状体の頂部を、氷面の適切な位置により深くかつ正確に突きさすことができる。
【００１２】
これにより、トゥジャンプを行うための助走速度を上げた場合でも、トゥジャンプの起点となる氷面の適切な位置に突きさした凹凸部が適切な位置からずれることがないので、トゥジャンプに必要となる大きな跳躍力と回転力とを安定して得ることができつつ、使用者が転倒することを防止することができる。
【００１３】
この目的を達成するための本発明に係るアイススケート靴用のブレードは、
長手方向に沿う一方側の端面を滑走面とする長尺板状の板状部と、前記板状部の長手方向の一端側に形成された凹凸形状を有する凹凸部とを備え、
前記凹凸部が、当該凹凸部の凸部が前記一方側に凸となる状態で、前記滑走面よりも前記板状部の他方側の端面寄りに形成され、前記凹凸形状が、前記板状部の厚み方向から見て鋸状に形成されたアイススケート靴用のブレードであって、
前記凹凸部が、第１凹凸部と第２凹凸部とで形成され、
前記第１凹凸部と前記第２凹凸部が前記厚み方向に並設され、
前記第１凹凸部および前記第２凹凸部の少なくともいずれか一方が複数の錐状体で形成され、
複数の前記錐状体が、前記錐状体の頂部を前記凸部とする状態で前記長手方向に並設されて形成されている点にある。
【００１４】
上記特徴構成によれば、第１凹凸部および第２凹凸部の少なくともいずれか一方が複数の錐状体で形成され、複数の錐状体が、錐状体の頂部を凸部とする状態で長手方向に並設されて形成されているので、トゥジャンプを行う際に、複数の錐状体で形成された一方の凹凸部の凸部に加えて、他方の凹凸部の凸部も氷面に突きさすことができる。よって、一方の凹凸部の複数の錐状体の頂部を、氷面の適切な位置により深く突きさすことができつつ、他方の凹凸部の凸部も氷面に突きさすことができるので、より確実に氷面を捉えることができる。
【００１５】
これにより、トゥジャンプを行うための助走速度を上げた場合でも、トゥジャンプの起点となる氷面の適切な位置に突きさした凹凸部が適切な位置からずれることがないので、トゥジャンプに必要となる大きな跳躍力と回転力とを安定して得ることができつつ、使用者が転倒することを防止することができる。
【００１６】
この目的を達成するための本発明に係るアイススケート靴用のブレードは、
長手方向に沿う一方側の端面を滑走面とする長尺板状の板状部と、前記滑走面の長手方向の一端側に形成された凹凸形状を有する凹凸部とを備え、
前記凹凸部が、前記滑走面よりも前記板状部の他方側の端面寄りに形成され、前記凹凸形状が、前記板状部の厚み方向から見て鋸状に形成されたアイススケート靴用のブレードであって、
前記凹凸部が、第１凹凸部と第２凹凸部とで形成され、
前記第１凹凸部と前記第２凹凸部とが、前記厚み方向に並設され、
前記第１凹凸部の凸部と、前記第２凹凸部の凸部とが、前記厚み方向から見て異なる位置に形成されている点にある。
【００１７】
上記特徴構成によれば、第１凹凸部と第２凹凸部とが厚み方向に並設され、第１凹凸部の凸部と、第２凹凸部の凸部とが、厚み方向から見て異なる位置に形成されているので、トゥジャンプを行う際に、第１凹凸部の凸部に加えて第２凹凸部の凸部も氷面に突きさすことができる。よって、多くの凸部を氷面に突きさすことができるので、より確実に氷面を捉えることができる。
【００１８】
これにより、トゥジャンプを行うための助走速度を上げた場合でも、トゥジャンプの起点となる氷面の適切な位置に突きさした凹凸部が適切な位置からずれることがないので、トゥジャンプに必要となる大きな跳躍力と回転力とを安定して得ることができつつ、使用者が転倒することを防止することができる。
【００１９】
本発明に係るアイススケート靴用のブレードの更なる特徴構成は、
前記第１凹凸部および前記第２凹凸部の少なくともいずれか一方が複数の錐状体で形成され、
複数の前記錐状体が、前記錐状体の頂部を前記凸部とする状態で前記長手方向に並設されて形成されている点にある。
【００２０】
上記特徴構成によれば、第１凹凸部および第２凹凸部の少なくともいずれか一方が複数の錐状体で形成され、複数の錐状体が、錐状体の頂部を凸部とする状態で長手方向に並設されて形成されているので、トゥジャンプを行う際に、複数の錐状体で形成された一方の凹凸部の凸部に加えて、他方の凹凸部の凸部も氷面に突きさすことができる。よって、一方の凹凸部の複数の錐状体の頂部を、氷面の適切な位置により深く突きさすことができつつ、他方の凹凸部の凸部も氷面に突きさすことができるので、より確実に氷面を捉えることができる
【００２１】
これにより、トゥジャンプを行うための助走速度を上げた場合でも、トゥジャンプの起点となる氷面の適切な位置に突きさした凹凸部が適切な位置からずれることがないので、トゥジャンプに必要となる大きな跳躍力と回転力とを安定して得ることができつつ、使用者が転倒することを防止することができる。
【図面の簡単な説明】
【００２２】
【図１】第１実施形態に係るアイススケート靴用のブレードの概略図
【図２】第１実施形態に係る凹凸部の斜視図
【図３】第１実施形態に係る凹凸部の正面図
【図４】第２実施形態に係る凹凸部の斜視図
【図５】第２実施形態に係る凹凸部の正面図
【図６】第３実施形態に係る凹凸部の斜視図
【図７】第３実施形態に係る凹凸部の正面図
【図８】別実施形態に係る凹凸部の斜視図
【図９】別実施形態に係る凹凸部の正面図
【発明を実施するための形態】
【００２３】
〔第１実施形態〕
以下図面に基づいて、本発明のアイススケート靴用のブレードについて説明する。
図１に、本発明に係るアイススケート靴用のブレードを備えたアイススケート靴１００を示す。図１に示すように、本発明に係るアイススケート靴用のブレードとしてのブレード部１０は、アイススケート靴１００のブーツ部２０の底部に取り付けられている。
【００２４】
ブレード部１０は、長手方向に沿う一方側の端面を滑走面１とする長尺板状の板状部２と、板状部２の長手方向の一端側に形成された凹凸形状を有する凹凸部３とを備えている。また、ブレード部１０には、板状部２及び凹凸部３を、ブーツ部２０の底部に取り付けるための支柱部５が設けられている。
【００２５】
ブレード部１０は、ブレード部１０の長手方向をアイススケート靴１００のつま先部２０ａとかかと部２０ｂとを結ぶ直線に沿う方向に一致させ、かつ、滑走面１である長手方向に沿う一方側の端面がブーツ部２０の底部と反対側に位置するように、ブーツ部２０の底部に取り付けられている。また、凹凸部３が形成されたブレード部１０の長手方向の一端側が、アイススケート靴１００のつま先部２０ａ側に位置するように、ブーツ部２０の底部に取り付けられている。
【００２６】
凹凸部３は、凹凸部３の凸部３aが板状部２の一方側に凸となる状態で、滑走面１よりも板状部２の他方側の端面６寄りに形成されている。つまり、凹凸部３は、凸部３ａがブレード部１０において滑走面１が形成されている一方側に突出する状態で、滑走面１よりも滑走面１と反対側の端面６寄りに形成されている。
【００２７】
板状部２は、板状部２の長手方向の他端側であるかかと部２０ｂ側から長手方向の一端側であるつま先部２０ａ側に向かって、板状部２の厚み方向から見て滑走面１側に凸となるカーブが形成されている。特に、板状部２の一端側であるつま先部２０ａ側の凹凸部３に近接する部分では、板状部２の厚み方向から見て滑走面１側に凸となる曲率が大きく形成されて設けられている。このように、板状部２の一端側が形成されているので、板状部２の一端側に形成された凹凸部３が滑走面１よりも滑走面１と反対側の端面６寄りに形成されることになる。よって、通常の氷面滑走時には、凹凸部３が氷面から離間する状態で、滑走面１のみを氷面に接触させて氷上を滑走することができる。
【００２８】
次に、凹凸部３の凹凸形状について図１から図３に基づいて詳細に説明する。図２は凹凸部３の斜視図であり、図３は凹凸部３の正面図である。図１に示すように、凹凸部３の凹凸形状は、板状部２の厚み方向から見て鋸状に形成されている。そして、図２及び図３に示すように、凹凸部３は、複数の錐状体７で形成され、錐状体７の頂部７ａを凸部３ａとする状態で長手方向に並設されて形成されている。
【００２９】
つまり、凹凸部３は複数の錐状体７で形成され、かつ、複数の錐状体７の頂部７ａが凸部３ａとなるように形成されている。この錐状体７の頂部７ａは、ブレード部１０において滑走面１が形成されている一方側に突出する状態で形成されている。よって、アイススケート靴１００を用いて、通常の氷面滑走を行っている場合には、その錐状体７の頂部７ａが氷面から離間しつつ、氷面に向かって突出する状態となる。
【００３０】
そして、凹凸部３を板状部２の厚み方向から見た凹凸部３の凹部３ｂから凸部３ａまでの突出寸法Ｙ（図１参照）は、板状部２の厚さＸの０．５〜２．０倍の寸法で形成されている。これにより、凹凸部３が十分な強度を有するものとなり、凹凸部を氷面に突きさす際にも破損することを防止することができる。
【００３１】
図３に示すように、錐状体７は、板状部２の厚さＸを底面の厚み方向の長さとする四角錘状の錐状体７で構成されている。この錐状体７の頂部７ａが、氷面により深く突きさすことができるように尖っているので、ブレード部１０が装着されたアイススケート靴１００の使用者は、トゥジャンプの踏み切りの際に、アイススケート靴１００のつま先部２０ａ側に設けられた複数の錐状体７の頂部７ａを、氷面の適切な位置により深く氷面の適切な位置により深くかつ正確に突きさすことができる。
【００３２】
これにより、トゥジャンプを行うための助走速度を上げた場合でも、トゥジャンプの起点となる氷面の適切な位置に突きさした凹凸部３の錐状体７が、氷面の適切な位置からずれることを防止することができるので、助走のエネルギーを利用してトゥジャンプを行うために必要となる大きな跳躍力と回転力とを安定して得ることができつつ、使用者が転倒することを防止することができる。
【００３３】
〔第２実施形態〕
以下、本発明に係るアイススケート靴用のブレードの第２実施形態を、図４及び図５に基づいて説明する。この第２実施形態に係るアイススケート靴用のブレードとしてのブレード部１０は、図４及び図５に示すように、凹凸部３が、第１凹凸部３１と第２凹凸部３２とで形成されている点で上述の第１実施形態と異なっている。具体的には、凹凸部３を形成する第１凹凸部３１と第２凹凸部３２とが板状部２の厚み方向に並設され、その第１凹凸部３１および第２凹凸部３２の少なくともいずれか一方が複数の錐状体７で形成されている。そして、複数の錐状体７が、その錐状体７の頂部７ａを、第１凹凸部３１の凸部である第１凸部３１ａおよび第２凹凸部３２の凸部である第２凸部３２ａの少なくともいずれか一方とする状態で長手方向に並設されて形成されている点で上述の第１実施形態と異なっている。
【００３４】
なお、図４及び図５では、第１凹凸部３１と第２凹凸部３２との両方が複数の錐状体７で形成されている実施例を示したが、第１凹凸部３１および第２凹凸部３２の少なくともいずれか一方が複数の錐状体７で形成され、他方は錐状体７で形成されていなくてもよい。例えば、第１凹凸部３１が、第１凹凸部３１の凸部である第１凸部３１ａと凹部である第１凹部３１ｂにおいて、板状部２の厚み方向の厚さが変化しない凸凹形状に形成されていてもよいし、又は、第２凹凸部３２が、第２凹凸部３２の凸部である第２凸部３２ａと凹部である第２凹部３２ｂにおいて、板状部２の厚み方向の厚さが変化しない凸凹形状に形成されていてもよい。
【００３５】
このように、第１凹凸部３１および第２凹凸部３２の少なくともいずれか一方が複数の錐状体７で形成されている場合、一方の凹凸部３の複数の錐状体７の頂部７ａを、氷面の適切な位置により深く突きさすことができつつ、他方の凹凸部３の凸部３ａも氷面に突きさすことができるので、より確実に氷面を捉えることができる。
【００３６】
〔第３実施形態〕
以下、本発明に係るアイススケート靴用のブレードの第３実施形態を、図６及び図７に基づいて説明する。この第３実施形態に係るアイススケート靴用のブレードとしてのブレード部１０は、図４及び図５に示すように、凹凸部３が、第１凹凸部３１と第２凹凸部３２とで形成されている点で上述の第１実施形態と異なっている。具体的には、凹凸部３を形成する第１凹凸部３１と第２凹凸部３２とが板状部２の厚み方向に並設され、第１凹凸部３１の凸部である第１凸部３１ａと、第２凹凸部３２の凸部である第２凸部３２ａとが、板状部２の厚み方向から見て異なる位置に形成されている点で上述の第１実施形態と異なっている。
【００３７】
本実施形態に係るブレード部１０の第１凹凸部３１は、第１凹凸部３１の凸部である第１凸部３１ａと凹部である第１凹部３１ｂにおいて、板状部２の厚み方向の厚さが変化しない凸凹形状に形成されている。同様に、第２凹凸部３２についても、第２凹凸部３２の凸部である第２凸部３２ａと凹部である第２凹部３２ｂにおいて、板状部２の厚み方向の厚さが変化しない凸凹形状に形成されている。また、第１凹凸部３１は、第１凸部３１ａの突出側から見て、板状部２の長手方向において、第１凸部３１ａが、その第１凸部３１ａと隣り合う２つの第１凹部３１ｂの中間に位置するように形成されている。同様に、第２凹凸部３２は、第２凸部３２ａの突出側から見て、板状部２の長手方向において、第２凸部３２ａが、その第２凸部３２ａと隣り合う２つの第２凹部３２ｂの中間に位置するように形成されている。
【００３８】
本実施形態では、上述の如く、第１凹凸部３１の第１凸部３１ａと、第２凹凸部３２の第２凸部３２ａとが、板状部２の厚み方向から見て異なる位置に形成されている。具体的には、第１凹凸部３１の第１凸部３１ａが第２凹凸部３２の第２凹部３２ｂと、板状部２の厚み方向において重なる位置となるように形成され、第１凹凸部３１の第１凹部３１ｂが第２凹凸部３２の第２凸部３２ａと、板状部２の厚み方向において重なる位置となるように形成されている。
【００３９】
このように、第１凹凸部３１の凸部である第１凸部３１ａと、第２凹凸部３２の凸部である第２凸部３２ａとが、板状部２の厚み方向から見て異なる位置に形成されているので、トゥジャンプを行う際に、第１凹凸部３１の第１凸部３１ａに加えて、第２凹凸部３２の第２凸部３２ａも氷面に突きさすことができる。よって、多くの凸部を氷面に突きさすことができるので、より確実に氷面を捉えることができる。
【００４０】
〔別実施形態〕
以下、別実施形態を列記する。
（１）上記第３実施形態では、第１凹凸部３１は、第１凸部３１ａの突出側から見て、板状部２の長手方向において、第１凸部３１ａが、その第１凸部３１ａと隣り合う２つの第１凹部３１ｂの中間に位置するように形成され、同様に、第２凹凸部３２は、第２凸部３２ａの突出側から見て、板状部２の長手方向において、第２凸部３２ａが、その第２凸部３２ａと隣り合う２つの第２凹部３２ｂの中間に位置するように形成されたが、これに限らず、図８及び図９に示すように、第１凹凸部３１を、第１凸部３１ａの突出側から見て、板状部２の長手方向において、第１凸部３１ａが、その第１凸部３１ａと隣り合う２つの第１凹部３１ｂの中間よりも、その第１凸部３１ａと隣り合う２つの第１凹部３１ｂの間において、アイススケート靴１００のつま先部２０ａ側である板状部２の長手方向の一端側の第１凹部３１ｂに近接する側に位置するように形成してもよい。また、第２凹凸部３２を、第２凸部３２ａの突出側から見て、板状部２の長手方向において、第２凸部３２ａが、その第２凸部３２ａと隣り合う２つの第２凹部３２ｂの中間よりも、その第２凸部３２ａと隣り合う２つの第２凹部３２ｂの間において、アイススケート靴１００のつま先部２０ａ側である板状部２の長手方向の一端側の第１凹部３１ｂに近接する側に位置するように形成してもよい。
【００４１】
（２）上記第３実施形態では、第１凹凸部３１が、第１凹凸部３１の凸部である第１凸部３１ａと凹部である第１凹部３１ｂにおいて、板状部２の厚み方向の厚さが変化しない凸凹形状に形成され、かつ、第２凹凸部３２が、第２凹凸部３２の凸部である第２凸部３２ａと凹部である第２凹部３２ｂにおいて、板状部２の厚み方向の厚さが変化しない凸凹形状に形成されたが、これに限らず、第１凹凸部３１および第２凹凸部３２の少なくともいずれか一方を複数の錐状体７で形成し、その錐状体７の頂部７ａが、第１凸部３１ａおよび第２凸部３２ａの少なくともいずれか一方となる状態で長手方向に並設してもよい。
【産業上の利用可能性】
【００４２】
以上説明したように、トゥジャンプに必要となる大きな跳躍力と回転力とを安定して得ることができつつ、使用者が転倒することを防止することができるアイススケート靴用のブレードを提供することができる。
【符号の説明】
【００４３】
１        滑走面
２        板状部
３        凹凸部
３ａ      凸部
６        端面
７        錐状体
７ａ      頂部
３１      第１凹凸部
３２      第２凹凸部
３１ａ    凸部
３２ａ    凸部
【図１】
2020048623.tif 000003
【図２】
2020048623.tif 000004
【図３】
2020048623.tif 000005
【図４】
2020048623.tif 000006
【図５】
2020048623.tif 000007
【図６】
2020048623.tif 000008
【図７】
2020048623.tif 000009
【図８】
2020048623.tif 000010
【図９】
2020048623.tif 000011